(57)【要約】  【課題】仕切り板１の簡素化、組立作業工数の削減および各部屋に繋がる通路口を確保しつつキャビネット内の加温室と冷却室の間での熱伝導ロスを抑えて、有効な断熱効果を維持することができる自動販売機を提供する。  【解決手段】第１の断熱材２である真空断熱材のコーナー部に切り欠きＣを形成することで、前枠である第１の断熱材よりも低い断熱性能を有する第２の断熱材３、４、５を使用せずに仕切り板１を構成することができる。この結果、仕切り板１の構成において部品の簡素化、組立作業工数の削減を図ることができる。また、断熱効果の高い断熱材の占有面積が増加するため、庫内の冷却および加温状態の向上を図ることができ、省エネの自販機を提供することができる。【選択図】図２
2009238110.tif 000002
【特許請求の範囲】
【請求項１】
自動販売機本体の収納室を仕切る仕切り板は、高い断熱性能を有する略矩形状の第１の断熱材と、前記第１の断熱材よりも低い断熱性能を有する第２の断熱材をガスケットと一体に前記第１の断熱材の前面に配置し、前記第１の断熱材の前面コーナー部に切り欠きを形成したことを特徴とする自動販売機。
【請求項２】
前記仕切り板の両面をシートで覆って形成したことを特徴とする請求項１に記載の自動販売機。
【発明の詳細な説明】
【技術分野】
【０００１】
本発明は商品収納装置に収納された商品を冷却または加温して商品を販売するようにした自動販売機に関し、特に庫内を仕切っている断熱壁の仕切り板に関するものである。
【背景技術】
【０００２】
従来、この種の自動販売機としては、例えば、仕切り板の構造としては前枠部が第１の断熱材よりも低い断熱性能を有する断熱材で形成されている特許文献１のものがある。
【０００３】
図３は特許文献１に記載された従来の自動販売機の仕切り板の分解斜視図を示すものである。図３において、仕切り板１は、真空断熱材の第１の断熱材２、この第１の断熱材２を補強するための第２の断熱材である上枠３、下枠４、後枠５、前枠６を配置し、前枠６に取り付けたガスケット７から構成されている。
【０００４】
以上のように構成された自動販売機の断熱壁の仕切り板について、以下その動作を説明する。
【０００５】
図３に示すように、第１の断熱材２の上枠３、下枠４、後枠５で覆われた断熱壁の仕切り板は硬質ウレタンフォームで形成されている庫内に取り付けられており、商品収納ラックは仕切り板で仕切られた各庫内部屋に装着されている。かかる構成で、商品収納ラックに収納した商品を庫内に備えた冷却器で保冷する、ないしは加熱ヒータで加熱してコールド商品、ないしはホット商品として販売することは周知の通りである。コールド商品およびホット商品の温度を保持するために、各庫内部屋は加温室と冷却室に仕切られており、その第１の断熱材として硬質ウレタンフォームまたは真空断熱材が使われている。また、前枠６に取り付けられたガスケット７によって、断熱扉が閉じた状態での、断熱扉との隙間が塞がれており、加温室から冷却室への熱の侵入を抑えている。なお、各庫内部屋につながっているサクションパイプおよびハーネスは断熱壁の仕切り板に設けられた空間部を通過し冷却器ないし加熱ヒータ部分と接続されている。
【特許文献１】特開２００７−１２２３１６号公報
【発明の開示】
【発明が解決しようとする課題】
【０００６】
しかしながら、上記従来の構成では仕切り板を組み立てる際、前枠を構成するためには前枠６とガスケット７の２部品を使わなければならず、組立作業工数が増大し、部品点数も増えてしまう。また、前枠６は第１の断熱材よりも低い断熱性能を有する断熱材で形成されているため、仕切り板を挟んだ二つの庫内を冷却と加温にした場合、前枠６の断熱不足という問題もあった。
【０００７】
本発明は、上記従来の発明を解決するもので、前枠６の廃止による部品点数の削減、組立作業工数の削減および断熱効果の高い自動販売機を提供することを目的とするものである。
【課題を解決するための手段】
【０００８】
上記従来の課題を解決するために、本発明の自動販売機は、自動販売機本体の収納室を仕切る仕切り板は、高い断熱性能を有する略矩形状の第１の断熱材と、前記第１の断熱材よりも低い断熱性能を有する第２の断熱材をガスケットと一体に前記第１の断熱材の前面に配置し、前記第１の断熱材の前面コーナー部に切り欠きを形成したものである。
【０００９】
これにより、仕切り板の構成において部品の簡素化、組立作業工数の削減を図ることができる。また、断熱効果の高い断熱材の占有面積が増加するため、庫内の冷却および加温性能の向上を図ることができる。
【発明の効果】
【００１０】
本発明の自動販売機は、自動販売機本体の収納室を仕切る仕切り板は、高い断熱性能を有する略矩形状の第１の断熱材と、前記第１の断熱材よりも低い断熱性能を有する第２の断熱材をガスケットと一体に前記第１の断熱材の前面に配置し、前記第１の断熱材の前面コーナー部に切り欠きを形成することにより、仕切り板を組み立てる際の部品点数を削減することができ、簡素化を図り、組立作業工数の削減行うことができる。また、断熱効果の高い断熱材の占有面積が増加するため断熱効果が向上し、消費電力の低減すなわち省エネを行うことができる。
【発明を実施するための最良の形態】
【００１１】
請求項１に記載の発明は、自動販売機本体の収納室を仕切る仕切り板は、高い断熱性能を有する略矩形状の第１の断熱材と、前記第１の断熱材よりも低い断熱性能を有する第２の断熱材をガスケットと一体に前記第１の断熱材の前面に配置し、前記第１の断熱材の前面コーナー部に切り欠きを形成したものであり、組立作業工数の削減行うことができる。また、消費電力の低減すなわち省エネを行うことができる。
【００１２】
請求項２に記載の発明は、請求項１に記載の発明において、前記仕切り板の両面をシートで覆って形成したものであり、高い断熱性能を有する略矩形状の第１の断熱材である真空断熱材の破損防止を図ることができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１による自動販売機のメインドアを開いた状態の斜視図である。図１において断熱構造のキャビネット８で、このキャビネット８は前面が開放する箱状をなし、このキャビネット８の前にメインドア９と内扉１０が取り付けられている。またメインドア９の上部にはローディング扉１１が取り付けられている。一方キャビネット８内には仕切り板１が二枚互いに対向して設けられ、これら仕切り板１によりキャビネット８内が仕切り板１の相互間の加温室１２と、一方の仕切り板１の左側の冷却室１３と他方の仕切り板１の右側の冷却室１４との三室に仕切られている。そしてこれら加温室１２と冷却室１３，１４内にそれぞれ例えばサーペンタイン形のコラム１５が設けられ、これらコラム１５内に所定の商品が収納されている。加温室１２のコラム１５内に収納された各商品は加温手段（図示せず）により保温され、冷却室１３，１４のコラム１５内に収納された各商品は冷却手段により保冷される。
【００１５】
図２（ａ）は本発明の実施の形態１による自動販売機の仕切り板における第１の断熱材と第２の断熱材を組み合わせる前の斜視図である。図２（ｂ）は、本発明の実施の形態１による自動販売機の仕切り板における第１の断熱材と第２の断熱材とシートを組み合わせた状態の斜視図である。図２（ａ）において、第１の断熱材２の周囲に第１の断熱材２よりも低い断熱性能を有する第２の断熱材である上枠３、下枠４および後枠５を配置する。なお第１の断熱材２は前面下方のコーナー部に切り欠きＣを形成している。ガスケット７は第１の断熱材２の前部に配置し、配置後も切り欠きＣの追加により仕切り板に空隙が保持される。
【００１６】
図２（ｂ）において、第１の断熱材２と第２の断熱材である上枠３、下枠４および後枠５を一つの箱型の形状に組み合わせて、シート１６を覆い、テープ等で接合し、一つの第１の仕切り板１として形成する。このシート１６は第１の断熱材２として想定している真空断熱材の外表面フィルムを保護するものであり、シート１６として紙を用いると安価である利点があるが、これに限るものでもなく、他のシート状の材料を用いることも可能である。また、シート１６と第１の断熱材２と第２の断熱材である上枠３、下枠４および後枠５を覆うために、その覆う面に予め接着のためののり等を接着剤として配置することも可能である。
【００１７】
以上のように構成された自動販売機の仕切り板について、以下その動作を説明する。
【００１８】
このように構成された自動販売機は、開閉自在の内扉１０で塞がれ、その内部に設けた冷却装置（図示せず）と加温装置（図示せず）により、冷却室１３，１４と加温室１２は所定の温度で保存することができる。冷却室１３，１４と加温室１２に繋がるメインハーネス１７およびサクションパイプ１８は第１の断熱材に設けた切り欠きＣによってできた空隙を介して通過する。仕切り板前面部の断熱およびシール構造に関しては第１の断熱材に配置したガスケットが仕切り板前面の熱伝導を抑え、ガスケット前面部に形成された軟質のガスケットが弾性変形することにより内扉１０およびローディング扉１１との隙間をシールすることで断熱している。仕切り板１の上部、下部、後部のシール構造に関しては、第１の断熱材２の周囲を覆っている軟質フォームがキャビネット８の庫内の上部、下部、後部に設置されている硬質プラスチックフォームのスラブ材を圧縮することにより、シールを行っている。
【００１９】
以上のように、本実施の形態においては、仕切り板１で仕切られたキャビネット８内の加温室１２と冷却室１３，１４との間での熱ロスを抑えて、有効な断熱効果を維持することができる。また、仕切り板前部の第１の断熱材２よりも低い断熱性能を有する第２の断熱材である前枠６を廃止し部品点数を減少することにより、第１の断熱材を組み立てる際、組立作業工数を削減することができる。また、断熱性能の高い断熱材の面積を増加させ、断熱効果を向上することができる。また、各部屋に繋がっているメインハーネス１７およびサクションパイプ１８の通路を確保することができる。
【００２０】
また、第１の断熱材２として想定している真空断熱材の外表面フィルムの両面をシート１６で覆っているので、略矩形状の第１の断熱材２である真空断熱材の破損防止を図ることができる。
【産業上の利用可能性】
【００２１】
以上のように、本発明にかかる自動販売機は、高い断熱性能を有する略矩形状の断熱材のコーナー部にＣカットを形成することで、低い断熱性能を有する断熱材との組合せによる異矩形状の仕切り板を構成することができ、仕切り板を挟んだ二つの庫内を冷却と加温にして温度差がある場合においても、断熱効果を向上し省エネを行うことができるので、自動販売機に限らず、隣接する二室を備えた冷却、加温機器にも適用できる。
【図面の簡単な説明】
【００２２】
【図１】本発明の実施の形態１における自動販売機のメインドアを開いた状態の斜視図
【図２】（ａ）本発明の実施の形態１における自動販売機の仕切り板における第１の断熱材と第２の断熱材を組み合わせる前の状態の斜視図（ｂ）本発明の実施の形態１における自動販売機の仕切り板における第１の断熱材と第２の断熱材とシートを組み合わせた状態の斜視図
【図３】従来の自動販売機の仕切り板の分解斜視図
【符号の説明】
【００２３】
１    仕切り板
２    第１の断熱材
３    上枠（第２の断熱材）
４    下枠（第２の断熱材）
５    後枠（第２の断熱材）
７    ガスケット
１６  シート
Ｃ    切り欠き
【図１】
2009238110.tif 000003
【図２】
2009238110.tif 000004
【図３】
2009238110.tif 000005